【手続補正書】
【提出日】平成16年3月12日(2004.3.12)
【手続補正１】
【補正対象書類名】明細書
【補正対象項目名】全文
【補正方法】変更
【補正の内容】
【発明の名称】生ごみ乾燥処理機
【特許請求の範囲】
【請求項１】生ごみを収納する収納容器と、生ごみを加熱乾燥する加熱手段と、前記収納容器と外部を連通し生ごみ加熱時に発生する蒸気を外部に排出する排気通路と、本体内部を冷却する冷却ファンと、前記排気通路中の蒸気の温度を検知する検知体とを備え、前記排気通路の前記冷却ファンによる冷却風に曝される部分に前記検知体を取着させた生ごみ乾燥処理機。
【請求項２】生ごみ加熱時に発生する蒸気に含まれる臭気を脱臭する脱臭器を排気通路の一部に設け、前記脱臭器に上流側に向けて設けたパイプ体の前段に検知体を設けた請求項１記載の生ごみ乾燥処理機。
【請求項３】排気通路壁に検知体を取着する保持板を設け、前記検知体の片側を排気通路壁に密着させると共に、他側と前記保持板との間に断熱材を配した請求項１又は２記載の生ごみ乾燥処理機。
【請求項４】少なくとも検知体の取付部の排気通路と保持板を金属製とした請求項１〜３のいずれか１項記載の生ごみ乾燥処理機。
【発明の詳細な説明】
【０００１】
【発明の属する技術分野】
本発明は主に家庭の台所で発生する生ごみを処理する生ごみ乾燥処理機に関するものである。
【０００２】
【従来の技術】
従来の生ごみ乾燥処理機を図３を用いて説明する。
【０００３】
生ごみ収納容器１と、前記生ごみ収納容器１内の生ごみを加熱する加熱手段２と、前記生ごみ収納容器１の外周部に配置された凝縮器３と、前記凝縮器３の外面を冷却する冷却ファン４と、前記凝縮器３によって凝縮された水の回収タンク８と、前記生ごみ収納容器１の上方に設けた開閉可能な蓋５と、生ごみ加熱時に発生する蒸気に含まれる臭気を脱臭する脱臭器９と、前記生ごみ収納容器１内の生ごみより発生する蒸気の温度を検出する蒸気温度の検知体６とを備え、前記生ごみ収納容器１の上端部と前記蓋５の下面とを一定の間隙をもって配置して前記生ごみ収納容器１より前記凝縮器３へ流出する排気通路７を設け、かつ、前記生ごみより発生する蒸気の温度を、前記凝縮器３の外壁面に設けた検知体６で検出するようにし、前記検知体６の温度変化量が所定値以上になったとき乾燥処理を終了させるようにしていたので、加熱手段２によって生ごみは加熱され蒸気を発生し、蒸気は生ごみ収納容器１上端部と蓋５下面との一定の間隙の経路を通り、凝縮器３へ流出し、冷却ファンによって凝縮され水となり、回収タンク８へ流入し、残りの臭気を含んだ蒸気は脱臭器９によって脱臭され外部に排気される。生ごみの乾燥が進行すると、発生する蒸気量は減少し、検知体６の温度変化量が所定量以上になった乾燥終了時点を的確に検知する。
【０００４】
【発明が解決しようとする課題】
上記構成において、生ごみ乾燥処理機は発生した蒸気による温度上昇、蒸気の減少に伴う温度降下の温度変化量が所定値以上になったときに乾燥処理を終了させる自動運転をしている。そのため確実な温度変化を得るために、冷却ファン４によって蒸気を冷却し凝縮させている凝縮器３の外壁面に検知体６を設けており、凝縮機能との共存が必至であった。よって、凝縮した水の回収タンク８等が必要であり、溜まった水を廃棄する手間があった。
【０００５】
本発明は上記課題を解決するもので、凝縮機能をもたず簡単な構成でも、自動終了する機能をもつ手間いらずの使い勝手の良い生ごみ乾燥処理機を提供することを目的とするものである。
【０００６】
【課題を解決するための手段】
上記の目的を達成するために、生ごみを収納する収納容器と、生ごみを加熱乾燥する加熱手段と、前記収納容器と外部を連通し生ごみ加熱時に発生する蒸気を外部に排出する排気通路と、本体内部を冷却する冷却ファンと、前記排気通路中の蒸気の温度を検知する検知体とを備え、前記排気通路の前記冷却ファンによる冷却風に曝される部分に前記検知体を取着させたものである。
【０００７】
よって加熱手段で加熱された収納容器内の生ごみから発生した蒸気によって排気通路を通過する排気温度が一旦上昇し、乾燥し蒸気による影響が減少すると共に、冷却ファンによる冷却風に曝されて排気温度は降下する。この蒸気発生時と乾燥時で異なる温度変化を排気通路壁に設けた検知体で検知し、設定した温度変化量に達すると生ごみ処理機を自動終了させる。
【０００８】
よって凝縮機能を伴わない簡単な冷却構成でも、自動終了する機能をもつ使い勝手の良い生ごみ乾燥処理機を提供できる。
【０００９】
【発明の実施の形態】
本発明の請求項１記載の発明は、生ごみを収納する収納容器と、生ごみを加熱乾燥する加熱手段と、前記収納容器と外部を連通し生ごみ加熱時に発生する蒸気を外部に排出する排気通路と、本体内部を冷却する冷却ファンと、前記排気通路中の蒸気の温度を検知する検知体とを備え、前記排気通路の前記冷却ファンによる冷却風に曝される部分に前記検知体を取着させたので、加熱乾燥手段で加熱された収納容器内の生ごみから発生した蒸気によって排気通路を通過する排気温度が一旦上昇し、乾燥し蒸気による影響が減少すると共に、冷却ファンによる冷却風に曝されて排気温度は降下する。この蒸気発生時と乾燥時で異なる温度変化を排気通路壁に設けた検知体で検知し、設定した温度変化量に達すると生ごみ処理機を自動終了させる。
【００１０】
よって凝縮機能を伴わない簡単な冷却構成でも、自動終了する機能をもつ使い勝手の良い生ごみ乾燥処理機を提供できる。
【００１１】
本発明の請求項２記載の発明は、生ごみ加熱時に発生する蒸気に含まれる臭気を脱臭する脱臭器を排気通路の一部に設け、前記脱臭器に上流側に向けて設けたパイプ体の前段に検知体を設けたので、検知用の排気通路を単体で設ける事なく脱臭器のパイプ体の前段を利用することで、検知体取付部の熱容量を大きくできるので安定した温度特性を得られる。
【００１２】
本発明の請求項３記載の発明は、排気通路壁に検知体を取着する保持板を設け、前記検知体の片側を排気通路壁に密着させると共に、他側と前記保持板との間に断熱材を配したので、覆われた断熱材によって検知体取付部の排気通路壁温度の外気温度による影響を少なくし、低温下でも通過する蒸気によって検知体取付部の排気通路が確実に温度上昇するので、排気温度変化による検知を容易に安定して行うことができる。
【００１３】
本発明の請求項４記載の発明は、少なくとも検知体の取付部の排気通路と保持板を金属製にしたので、検知体の取付部の排気通路と保持板はその接触部より熱伝導性が良く連結されるので、検知体取付部近傍の排気通路と保持板を冷却ファンによる冷却風下に曝させることによって、排気通路の熱を保持板より効果的に放熱しているので、排気通路の冷却効率が良く、蒸気通過時と乾燥時との温度変化を大きく取ることができ、高温下でも通過する蒸気の減少に伴い排気通路の温度が確実に降下し、より排気温度変化による検知を容易に安定して行うことができる。また、蒸気による熱の供給がなくなると素早く応答して温度降下する。
【００１４】
よって排気温度変化が大きいので、温度変化量の検知をより容易に安定して行える上、乾燥状態を素早く検知でき応答性の良い自動終了ができる生ごみ処理機を提供できる。
【００１５】
【実施例】
以下、本発明の第１の実施例について図１，２をもとに説明する。
【００１６】
図において、２３は生ごみを投入する生ごみ収納容器２１をセットする乾燥用容器である。生ごみ収納容器２１の内壁には固定刃３２が設けられている。３３は固定刃３２と交差しながら回転する回転刃で、センター軸３５に連結されている。センター軸３５は、乾燥用容器２３底部に設けた接続装置３６により着脱自在に回転軸３７に連結されており、回転軸３７には、回転モータ３８の回転が減速装置３９により減速されて伝達される。
【００１７】
これら固定刃３２と回転刃３３により生ごみ収納容器２１の内部の生ごみを粉砕撹拌する粉砕撹拌手段を構成している。
【００１８】
２２は、生ごみを加熱乾燥するヒ−タ（加熱手段）であり、遠心ファン４０と共に生ごみ乾燥処理機本体に開閉可能に設けた蓋２５に設けてある。生ごみ収納容器２１の開口を蓋２５に取着したパッキン４１にてシールしている。
【００１９】
４４は、蓋２５に設けた連結通路であり、小パッキン４２に至るまで空気通路を形成している。小パッキン４２は、吸気フィルタ４３と蓋２５閉時に当接するよう配置してあり、吸気フィルタ４３は本体側に設けた排気通路２７と連通されている。
【００２０】
さらに排気通路２７は脱臭器２９に接続されている。脱臭器２９の排気側にはファンガイド４７が設けてあり、吸引ファン３４はファンガイド４７を介し吸引モータ２８に接続されている。ファンガイド４７には吸引ファン３４の吸気面を覆ったファンケース４５を設けている。吸引モータ２８の他端には冷却ファン２４が設けてある。
【００２１】
生ごみ収納容器２１内の蒸気は、吸引モータ２８と吸引ファン３４よりなる吸引手段に吸引されることより、連結通路２７から脱臭器２９まで至って、排気口カバー３０の排気口３１より外部へ排出される。
【００２２】
また、脱臭器２９の下部には上方の上流側に伸びたステンレス製のパイプ体４６が設けてあり、パイプ体４６の前段に温度を検知する検知体２６がパイプ体４６の長手方向に沿ってアルミテープ４８によって固定され、その上より長方形の断熱材４９を検知体２６の取付部のみ覆うように被せ、更にその上より断熱材４９を保持した板金の保持板５０をパイプ体４６にまで掛るように狭持して設けてある。
【００２３】
パイプ体４６は検知体２６取付部の反対面及び直下は冷却ファン２４による冷却風下に曝されており、下方は排気通路壁断熱材５１によって覆われている。
【００２４】
以上のように構成された生ごみ乾燥処理機において、その動作を説明する。
【００２５】
生ごみ収納容器２１に投入された生ごみは、回転刃３３により攪拌されると共に回転刃３３と固定刃３４により粉砕される。ヒータ２２と遠心ファン４０により加熱された生ごみからは水蒸気が発生し、生ごみ収納容器２１上部の連結通路４４から、吸引ファン３４と吸引モータ２８からなる吸引手段により吸引され、吸気フィルタ３９、排気通路２７を通り、パイプ体４６より脱臭器２９に流入して臭いを除去された後ファンガイド４７，吸引ファン５２を経て、排気口カバー３０の排気口３１より外部に排出される。
【００２６】
ここで生ごみより発生した蒸気がパイプ体４６内部を通過することによりパイプ体４６の温度は上昇し、乾燥が進行し蒸気量が減少してくると、パイプ体４６の露出部が冷却ファン２４による冷却風にさらされているので、結果的に温度降下する。そして、温度降下したパイプ体４６の露出部よりの放熱と熱伝導で検知部のパイプ体４６の温度も降下し、検知体２６が温度変化量が設定値に達したことを検知すると乾燥終了を検知できる。
【００２７】
よって凝縮機能を伴うような冷却構成を持たなくても、高温の環境の様な温度降下しにくい状況下でも、蒸気の減少と共にパイプ体４６の露出部は効果的に確実に温度降下し、乾燥終了を自動検知できる使い勝手の良い生ごみ処理機を提供できる。
【００２８】
また、検知体２６を脱臭器２９のパイプ体４６の前段に設けているので、検知体２６取付部のパイプ体４６が脱臭器２９と一体となり、パイプ体４６の熱容量を大きくでき安定した温度特性を得られる上、検知用の排気通路を単独で持たない上に連結部品も省略できるので部品構成も簡単にできる。
【００２９】
またパイプ体４６に検知体２６を取着する保持板５０を設け、検知体２６を片側をパイプ体４６に密着させると共に、他側と保持板５０との間に断熱材４９を配しているので、覆われた断熱材４９によって検知部のパイプ体４６温度の外気温度による影響を少なくし、低温下でも通過する蒸気によって検知部のパイプ体４６が確実に温度上昇するので、排気温度変化による検知を容易に安定して行うことができる。低温下でも通過する蒸気の増加に伴いパイプ体４６の温度が確実に上昇し、排気温度変化による検知を容易に安定して行うことができる。
【００３０】
よって様々な環境下においても簡単な構成で、排気温度変化による乾燥終了検知を容易に安定して行うことができる生ごみ処理機を提供できる。
【００３１】
また、パイプ体４６と保持板５０を金属製にし設けたので、パイプ体４６と保持板５０はその接触部より熱伝導性が良く連結されるので、検知部近傍のパイプ体４６と保持板５０を冷却ファン２４による冷却風下に曝させることによって、パイプ体４６の熱を保持板５０より効果的に放熱でき、パイプ体４６の冷却効率が良く蒸気通過時と乾燥時との温度変化を大きく取ることができ、高温下でも通過する蒸気の減少に伴いパイプ体４６の温度が確実に降下し、より排気温度変化による検知を容易に安定して行うことができる。また、蒸気による熱の供給がなくなると素早く応答して温度降下する。
【００３２】
なおパイプ体４６と保持板５０は金属以外でも、熱伝導性の良い材料を用いていれば同様の効果が得られる。
【００３３】
【発明の効果】
以上の実施例より明らかなように本発明の請求項１記載の発明によれば、加熱手段で加熱乾燥された収納容器内の生ごみから発生した蒸気によって排気通路を通過する排気温度が一旦上昇し、乾燥と共に蒸気による影響が減少し排気温度は降下する。この蒸気発生時と乾燥時で異なる温度変化を排気通路の前記冷却ファンによる冷却風に曝される部分に設けた検知体で検知し、設定した温度変化量に達すると生ごみ処理機を自動終了させる。
【００３４】
よって凝縮機能を伴わない簡単な冷却構成でも、自動終了する機能をもつ使い勝手の良い生ごみ乾燥処理機を提供できる。
【００３５】
また本発明の請求項２記載の発明によれば、脱臭器に上流側に向けて設けたパイプ体の前段に検知体を設けたことにより、検知体取付部の排気通路壁が脱臭器と一体となり、検知体取付部の熱容量を大きくでき安定した温度特性を得られる上、検知用の排気通路を単独で持たない上に連結部品も省略できるので部品構成も簡単にできる。
【００３６】
また本発明の請求項３記載の発明によれば、排気通路壁に検知体を取着する保持板を設け、前記検知体の片側を排気通路壁に密着させると共に、他側と前記保持板との間に断熱材を配したことによって、覆われた断熱材によって検知体取付部の排気通路壁の外気温度による影響を少なくし、低温下でも通過する蒸気によって検知部の排気通路が確実に温度上昇するので、自動終了に必要な蒸気発生時と乾燥時で異なる温度変化を大きく取ることができ、排気温度変化による検知を容易に安定して行うことができる。
【００３７】
また、本発明の請求項４記載の発明によれば、少なくとも検知体の取付部の排気通路と保持板を金属製にしたので、検知体の取付部の排気通路と保持板はその接触部より熱伝導性が良く連結されるので、検知体取付部近傍の排気通路と保持板を冷却ファンによる冷却風下に曝させることによって、排気通路の熱を保持板より効果的に放熱しているので、排気通路の冷却効率が良く、蒸気通過時と乾燥時との温度変化を大きく取ることができ、高温下でも通過する蒸気の減少に伴い排気通路の温度が確実に降下し、より排気温度変化による検知を容易に安定して行うことができる。また、蒸気による熱の供給がなくなると素早く応答して温度降下できる。
【図面の簡単な説明】
【図１】本発明の実施例における厨芥処理機の断面図
【図２】本発明の実施例における厨芥処理機の要部側面図
【図３】従来の厨芥処理機の断面図
【符号の説明】
２１  生ごみ収納容器
２２  ヒータ（加熱手段）
２６  検知体
２７  排気通路
２９  脱臭器
４６  パイプ
４９  断熱材
５０  保持板